(57)【要約】【課題】  主走査方向に並列に配設された少なくとも２つ以上の記録ヘッドによる記録を高精度に行うことが可能な記録装置を提供すること。【解決手段】  少なくとも２つ以上の記録ヘッド１２１ａａ、１２１ａｂ、１２１ｂａ、１２１ｂｂが主走査方向に並列に配設されたキャリッジ１２２における前記各記録ヘッド１２１ａａ、１２１ａｂと１２１ｂａ、１２１ｂｂに対応する位置に位置センサ１２９ａ、１２９ｂをそれぞれ配設する。これにより、ある位置でのインクの吐出タイミングは各記録ヘッド１２１ａａ、１２１ａｂと１２１ｂａ、１２１ｂｂ毎に制御することができるので、その位置でのインクの着弾位置ずれを防止して記録精度を高めることができる。【選択図】      図４
2005074875.tif 000002
【特許請求の範囲】
【請求項１】
少なくとも２つ以上の記録ヘッドが主走査方向に並列に配設されたキャリッジを有し、前記キャリッジを主走査方向に移動して前記各記録ヘッドで記録する記録装置であって、
前記キャリッジにおける前記各記録ヘッドに対応する位置に位置センサをそれぞれ配設したことを特徴とする記録装置。
【請求項２】
前記位置センサは、リニアエンコーダスケールのセンサであることを特徴とする請求項１に記載の記録装置。
【発明の詳細な説明】
【技術分野】
【０００１】
本発明は、記録ヘッドが搭載されたキャリッジを移動させて記録する記録装置に関する。
【背景技術】
【０００２】
記録装置の１つであるプリンタは、記録ヘッドを搭載し主走査方向に移動するキャリッジと、記録ヘッドの位置を検出するリニアエンコーダを備えている。そして、このリニアエンコーダからの位置検出信号により記録ヘッドのインクの吐出タイミングを補正するようになっている。
【０００３】
【特許文献１】特開２００１−２４６７３７号公報
【発明の開示】
【発明が解決しようとする課題】
【０００４】
プリンタの記録速度を高めるため、複数の記録ヘッドが主走査方向に並列に配設されたキャリッジを備えたプリンタが開発されている。ところが、キャリッジは、その構造上、主走査方向への移動の際に速度変動が発生する。このため、ある位置に到達した一の記録ヘッドの速度が例えば低速であると検知されてインクの吐出タイミングが制御されたとき、他の記録ヘッドがその位置へ到達したときに速度が実際は高速であるのも拘わらず低速でインクの吐出タイミングが制御されてしまうので、インクの着弾位置ずれが発生する場合がある。
【０００５】
本発明は、上記のような課題に鑑みなされたものであり、その目的は、主走査方向に並列に配設された少なくとも２つ以上の記録ヘッドによる記録を高精度に行うことが可能な記録装置を提供することにある。
【課題を解決するための手段】
【０００６】
上記目的達成のため、本発明の記録装置では、少なくとも２つ以上の記録ヘッドが主走査方向に並列に配設されたキャリッジを有し、前記キャリッジを主走査方向に移動して前記各記録ヘッドで記録する記録装置であって、前記キャリッジにおける前記各記録ヘッドに対応する位置に位置センサをそれぞれ配設したことを特徴としている。これにより、ある位置でのインクの吐出タイミングは各記録ヘッド毎に制御することができるので、その位置でのインクの着弾位置ずれを防止して記録精度を高めることができる。また、前記位置センサは、リニアエンコーダスケールのセンサであることを特徴としている。これにより、位置センサを簡易な構成とすることができるので、コスト的に安価なものとすることができる。
【発明を実施するための最良の形態】
【０００７】
図１は、本発明の実施の形態に係る記録装置の１つであるインクジェット式プリンタの構成例を示す斜視図であり、図２は、そのインクジェット式プリンタの主要部の内部構成例を示す斜視図、図３は、その断面図である。図１〜図３に示すインクジェット式プリンタ１００は、例えばＪＩＳ規格のＡ１判やＪＩＳ規格のＢ１判といった比較的大型のサイズの用紙幅を有するロール紙やカット紙に記録できる大型のプリンタである。このインクジェット式プリンタ１００は、本体部１１０内に記録部１２０と媒体搬送装置１３０が配設され、本体部１１０を支える脚部１４０の間に給紙部１５０が配設された構成となっている。
【０００８】
本体部１１０は、図１〜図３に示すように、記録部１２０と媒体搬送装置１３０を覆うプラスチックあるいは板金でなるハウジング１１１を備えている。そして、このハウジング１１１は、図１〜図３に示すように、上面及び前面が開放可能なように半透明もしくは透明のプラスチックあるいは板金でなる上蓋１１２及び前蓋１１３が配設されている。
【０００９】
上蓋１１２は、図１〜図３に示すように、後部が回動可能に支持されており、ユーザが前部を持って押し上げ、あるいは押し下げることにより開閉するようになっている。ユーザは、上蓋１１２を開けることにより記録部１２０及び媒体搬送装置１３０の上方を大きく開放することができるので、記録ヘッド１２１やキャリッジ１２２等のメンテナンス作業及びロール紙やカット紙のセット位置エラーの修正作業、記録中や排紙中における紙ジャム等の用紙搬送エラーの解除作業等を容易に行うことができる。
【００１０】
前蓋１１３は、図１〜図３に示すように、下部が回動可能に支持されており、ユーザが上部を持って押し下げ、あるいは押し上げることにより開閉するようになっている。ユーザは、前蓋１１３を開けることにより記録部１２０及び媒体搬送装置１３０の下方を大きく開放することができるので、給紙中における紙ジャム等の用紙搬送エラーの解除作業等を容易に行うことができる。
【００１１】
また、本体１１０の前面側から見て右側下部には、図１及び図２に示すように、各色のインクカートリッジ１０を収納保持するホルダ本体１６１とその前面を覆うカバー１６２を有するインクカートリッジホルダ１６０が配設されている。このカバー１６２は、下部がホルダ本体１６１に対し回動可能に支持されており、ユーザが上部を持って押し下げ、あるいは押し上げることにより開閉するようになっている。ユーザは、カバー１６２を開けることによりホルダ本体１６１を大きく開放することができるので、インクカートリッジ１０の交換作業等を容易に行うことができる。
【００１２】
さらに、本体１１０の前面側から見て右側上部には、図１及び図２に示すように、ユーザが記録制御等の操作等を行うための操作パネル１７０が配設されている。この操作パネル１７０は、液晶画面と各種ボタンが配設されており、ユーザが液晶画面を見て確認しながらボタン操作やロール紙やカット紙のセット位置エラーの修正作業をできるようになっている。ユーザは、視認による確実な操作や作業を行うことができるので、動作エラーや動作ミス等を無くすことができる。
【００１３】
記録部１２０は、図２及び図３に示すように、複数の記録ヘッド１２１を搭載したキャリッジ１２２、本発明の特徴的な部分である各記録ヘッド１２１の位置を検出するリニアエンコーダ１２９を備えている。さらに、記録部１２０は、各記録ヘッド１２１と制御部１８０の中の記録実行部とを電気的に接続するフレキシブルフラットケーブル（以下、ＦＦＣという）１２３、各記録ヘッド１２１とインクが入ったインクカートリッジ１０とをつなぐインクチューブ１２４等を備えている。
【００１４】
記録ヘッド１２１は、ブラックインクを吐出するブラックインク用記録ヘッドと、ダークイエロー、イエロー、ライトシアン、シアン、ライトマゼンタ、マゼンタ等の各色のインクを吐出する複数のカラーインク用記録ヘッドとを備えている。そして、記録ヘッド１２１は、圧力発生室とそれに繋がるノズル開口が設けられており、圧力発生室内にインクを貯留して所定圧で加圧することにより、ノズル開口からロール紙に向けてコントロールされた大きさのインク滴を吐出するようになっている。
【００１５】
そして、図４に示すように、主走査方向に２列、副走査方向に２列の計４個の記録ヘッド１２１ａａ、１２１ａｂ、１２１ｂａ、１２１ｂｂがキャリッジ１２２に配設されている。このように同一の記録ヘッド１２１ａａ、１２１ａｂ、１２１ｂａ、１２１ｂｂを主走査方向及び副走査方向に並列に配設することにより、高速な記録が可能となる。
【００１６】
キャリッジ１２２は、図２に示すように、主走査方向に設けられているレール１２７にベアリングを介して載置され、キャリッジベルト１２８に連結されており、図示しないキャリッジ駆動装置によってキャリッジベルト１２８が作動すると、キャリッジベルト１２８の動きに連行され、レール１２７に案内されて往復移動するようになっている。
【００１７】
リニアエンコーダ１２９は、主走査方向に配設された帯状のプラスチック板で成るリニアエンコーダスケール１２９Ａ、このリニアエンコーダスケール１２９Ａを挟み込むように配設されキャリッジ１２２における主走査方向に２列配設された記録ヘッド１２１ａａ、１２１ａｂと１２１ｂａ、１２１ｂｂに対応する位置に装着された受発光素子で成る２つの位置センサ１２９ａ、１２９ｂ等を備えている。
【００１８】
このようなリニアエンコーダ１２９は、制御部１８０に接続されており、主走査方向に２列配設された記録ヘッド１２１ａａ、１２１ａｂと１２１ｂａ、１２１ｂｂの２つの位置を検出して移動位置や移動速度の信号を制御部１８０に出力し、２列の記録ヘッド１２１ａａ、１２１ａｂと１２１ｂａ、１２１ｂｂのインクの吐出タイミングを制御するようになっている。
【００１９】
このため、ある位置に到達した１列目の記録ヘッド１２１ａａ、１２１ａｂの速度が例えば低速であると検知されてインクの吐出タイミングが制御されたとしても、２列目の記録ヘッド１２１ｂａ、１２１ｂｂがその位置へ到達したときに速度が高速になったときは、高速であると検知されるので、低速のインクの吐出タイミングで制御されることは無く、高速でインクの吐出タイミングを制御することができる。したがって、キャリッジ１２２が主走査方向への移動の際に速度変動が発生しても、主走査方向に２列配設されている記録ヘッド１２１ａａ、１２１ａｂと１２１ｂａ、１２１ｂｂのインクの各着弾位置にずれが発生することは無く、高精度な記録を行うことができる。
【００２０】
ＦＦＣ１２３は、一端が制御部１８０のコネクタに接続され、他端が記録ヘッド１２１のコネクタに接続されており、記録信号を制御部１８０から記録ヘッド１２１に送るようになっている。インクチューブ１２４は、上記各色のインク用が配設されており、図示しないインク加圧供給手段を介して各一端が対応する各色のインクカートリッジ１０に繋がれ、各他端が対応する各色の記録ヘッド１２１に繋がれている。そして、インクチューブ１２４は、インク加圧供給手段によって加圧された各色のインクをインクカートリッジ１０から記録ヘッド１２１に送るようになっている。
【００２１】
媒体搬送装置１３０は、図２及び図３に示すように、ロール紙やカット紙を副走査方向に搬送する紙送りローラ１３１とその従動ローラ１３２、ロール紙やカット紙を副走査方向に搬送して排紙する排紙ローラ１３３とその従動ローラ１３４、記録完了したロール紙をカッティングするカッタ１３５、ロール紙やカット紙の浮き上がりを防止する図示しない紙吸引手段等を備えている。
【００２２】
紙送りローラ１３１は、図示しないモータから伝達される駆動力により正逆回転駆動するようになっている。従動ローラ１３２は、バネ等の付勢部材により紙送りローラ１３１に押圧されており、紙送りローラ１３１の正逆回転駆動に追従して正逆回転するようになっている。そして、紙送りローラ１３１とその従動ローラ１３２は、給紙されるロール紙やカット紙を挟持して送り出すようになっている。
【００２３】
排紙ローラ１３３は、モータから紙送りローラ１３１を介して伝達される駆動力により正逆回転駆動するようになっている。従動ローラ１３４は、バネ等の付勢部材により排紙ローラ１３３に押圧されており、排紙ローラ１３３の正逆回転駆動に追従して正逆回転するようになっている。排紙ローラ１３３とその従動ローラ１３４は、搬送されるロール紙やカット紙を挟持して送り出すようになっている。カッタ１３５は、図３に示すように、刃先が下方を向いた状態で、上下方向及び主走査方向に移動自在に配設されている。
【００２４】
脚部１４０は、図１及び図２に示すように、移動用のコロ１４１を有する２本の支持柱１４２を備えている。そして、支持柱１４２の上部に本体部１１０が載置されネジ止め固定されるようになっている。支持柱１４２に移動用のコロ１４１が配設されていることにより、重量のある本体部１１０を所望の位置へスムーズに移動させて設置することができるようになっている。
【００２５】
給紙部１５０は、図１及び図３に示すように、本体部１１０の下方であって脚部１４０の間に配設されており、ロール紙の両端を支持する一対の支持部１５１、ロール紙を給送する送り出しローラ１５２とピンチローラ１５３を備えている。さらに、支持部１５１が固定されているとともに、送り出しローラ１５２とピンチローラ１５３の各両端が軸支されている一対のアーム部１５４を備えている。このような構成の給紙部１５０の詳細について、さらに図５を参照して以下説明する。
【００２６】
図５は、上記給紙部１５０の詳細を示す斜視図である。一対の支持部１５１は、対向配置される一対のアーム部１５４の対向面にそれぞれ固定して取り付けられている。そして、一対の支持部１５１は、軸受が内蔵されており、図８に示すロール紙Ｒの内周部に貫装されてロール紙Ｒを支持するスピンドル１５５の両端を回動自在に軸支持するようになっている。
【００２７】
すなわち、スピンドル１５５は、中央にロール紙Ｒが嵌め込まれてロール紙Ｒの両側に一対のフランジ状のロール紙押さえ１５６が嵌め込まれ、一対の支持部１５１の間に架け渡されるようになっている。ユーザは、スピンドル１５５が取り付けられたロール紙を持ち上げて、スピンドル１５５の両端を一対の支持部１５１に嵌め込むのみでロール紙の装着を完了させることができるので、ロール紙のセッティング作業工数を大幅に減少させることができる。
【００２８】
送り出しローラ１５２とピンチローラ１５３は、各両端が対向配置される一対のアーム部１５４の対向面にそれぞれ回動自在に軸支持されている。すなわち、送り出しローラ１５２とピンチローラ１５３は、一対のアーム部１５４の間に架け渡されるようにして配設されている。そして、送り出しローラ１５２の両端は一対のアーム部１５４の対向面の一定箇所に軸支持されているが、ピンチローラ１５３は送り出しローラ１５２に対して当接・離間可能なように、ピンチローラ１５３の両端軸は一対のアーム部１５４の対向面に設けられた例えば溝内を移動可能に軸支持されている。そして、ピンチローラ１５３は、送り出しローラ１５２に対して当接した位置及び離間した位置にて、例えばアーム部１５４の対向面に設けられた係止部材と付勢部材等を用いたロック機構によりロックされるようになっている。
【００２９】
ユーザは、支持部１５１に内蔵されている軸受により、ロール紙の先端部を容易に引き出すことができるとともに、ピンチローラ１５３の移動機構により、ロール紙の先端部を送り出しローラ１５２とピンチローラ１５３の間に容易に挿入・挟持させることができるので、ロール紙のセッティング作業工数を大幅に減少させることができる。
【００３０】
一対のアーム部１５４は、脚部１４０の２本の支持柱１４２の対向面にそれぞれ図示矢印方向に回動自在に取り付けられている。そして、一対のアーム部１５４の回動は、図７に示すロール紙のセッティング位置と図５に示すロール紙の給紙位置にて、例えば支持柱１４２の対向面に設けられた係止部材と付勢部材等を用いたロック機構によりロックされて位置決めされるようになっている。
【００３１】
すなわち、一対のアーム部１５４をロール紙のセッティング位置に回動させたときは、送り出しローラ１５２とピンチローラ１５３はインクジェット式プリンタ１００の前面側に飛び出し、一対のアーム部１５４をロール紙の給紙位置に回動させたときは、送り出しローラ１５２とピンチローラ１５３はインクジェット式プリンタ１００の背面側に回り込んで、ロール紙の搬送経路と接続されるようになっている。
【００３２】
ユーザは、ロール紙の先端部を送り出しローラ１５２とピンチローラ１５３の間に挿入・挟持させる際、インクジェット式プリンタ１００の背面側に潜り込まなくても、インクジェット式プリンタ１００の前面側にて通常の立ち位置で作業を行うことができるので、ロール紙のセッティング作業工数を大幅に減少させることができる。
【００３３】
なお、上述した実施形態では、一対の支持部１５１は、対向配置される一対のアーム部１５４の対向面にそれぞれ固定して取り付けられ、アーム部１５４とともに回動する構成としたが、脚部１４０の２本の支持柱１４２の対向面に取り付けられたアーム部１５４の回動軸と同芯の軸にそれぞれ固定して取り付けるように構成しても同様の効果を奏する。すなわち、アーム部１５４の回動とは無関係に常に一定位置に固定された支持部１５１としても良い。
【００３４】
このような構成において、インクジェット式プリンタ１００の使用手順を図６〜図１１を参照して説明する。先ず、図６（Ａ）に示すように、ユーザは、スピンドル１５５に嵌め込まれている一対のロール紙押さえ１５６の一方をスピンドル１５５の一端から引き抜く。そして、図６（Ｂ）に示すように、ユーザは、スピンドル１５５の一端をロール紙Ｒの軸穴Ｃの一端から挿入して貫通させる。
【００３５】
さらに、ユーザは、図６（Ｃ）に示すように、ロール紙Ｒの軸穴Ｃの一端をスピンドル１５５の他端側に挿入固定されている他方のロール紙押さえ１５６に嵌め込んで当接させる。続いて、ユーザは、一方のロール紙押さえ１５６をスピンドル１５５の一端から挿入して、ロール紙Ｒの軸穴Ｃの他端に嵌め込む。これにより、ロール紙Ｒはスピンドル１５５と共に回転可能となる。
【００３６】
次に、ユーザは、例えば送り出しローラ１５２を手前に引いてアーム部１５４を揺動させ、ロール紙の給紙位置に位置決めされている状態（図５参照）にあるアーム部１５４を図７（Ａ）に示すロール紙のセッティング位置に位置決めしてロックする。そして、ユーザは、スピンドル１５５が挿入されたロール紙Ｒを支持部１５１の上方へ持ち上げ、図７（Ｂ）に示すように、スピンドル１５５の両端部を各支持部１５１の窪み１５１ａにそれぞれ嵌め込む。このように、スピンドル１５５の両端を一対の支持部１５１に嵌め込むのみでロール紙の装着を完了させることができるので、ロール紙のセッティング作業工数を大幅に減少させることができる。
【００３７】
次に、図８（Ａ）に示すように、ユーザは、ピンチローラ１５３を持ち上げて送り出しローラ１５２に対して離間させてロックする。そして、ロール紙Ｒの先端部を前方に引き出してピンチローラ１５３と送り出しローラ１５２の間に通す。続いて、図８（Ｂ）に示すように、ユーザは、ピンチローラ１５３を押し下げて送り出しローラ１５２に対して当接させてロックし、ロール紙Ｒの先端部をピンチローラ１５３と送り出しローラ１５２の間に挟持させる。このように、インクジェット式プリンタ１００の前面側にて通常の立ち位置でロール紙の先端部を引き出して送り出しローラ１５２とピンチローラ１５３に挟持させることができるので、ロール紙のセッティング作業工数を大幅に減少させることができる。
【００３８】
次に、図９（Ａ）に示すように、ユーザは、例えば送り出しローラ１５２を奥へ押してアーム部１５４を揺動させ、ロール紙のセッティング位置に位置決めされている状態にあるアーム部１５４をロール紙の給紙位置に位置決めする。これにより、ピンチローラ１５３と送り出しローラ１５２の間に挟持されているロール紙Ｒの先端部は、給紙案内１５７の入口に位置決めされる。
【００３９】
ここで、ユーザが操作パネル１７０を操作してインクジェット式プリンタ１００を起動させると、図９（Ｂ）に示すように、送り出しローラ１５２が回転を開始する。そして、ピンチローラ１５３と送り出しローラ１５２の間に挟持されているロール紙Ｒは、給紙案内１５７に案内されて上方の記録部１２０へ送り出される。
【００４０】
そして、図１０に示すように、ロール紙Ｒは、紙送りローラ１３１とその従動ローラ１３２に挟持されて副走査方向に搬送されつつ主走査方向に移動する複数の記録ヘッド１２１ａａ、１２１ａｂ、１２１ｂａ、１２１ｂｂから吐出されるインク滴により所定の情報が記録される。このとき、主走査方向に２列配設された記録ヘッド１２１ａａ、１２１ａｂと１２１ｂａ、１２１ｂｂは、２つの位置センサ１２９ａ、１２９ｂにより移動位置や移動速度が高精度に制御されるので、主走査方向に２列配設されている記録ヘッド１２１ａａ、１２１ａｂと１２１ｂａ、１２１ｂｂのインクの各着弾位置にずれが発生することは無く、高精度な記録を行うことができる。この記録完了後、ロール紙Ｒは、カッタ１３５によりカッティングされて排紙ローラ１３３とその従動ローラ１３４に挟持されて排紙される。
【００４１】
なお、上述した実施形態では、主走査方向に２列、副走査方向に２列の計４個の記録ヘッド１２１ａａ、１２１ａｂ、１２１ｂａ、１２１ｂｂが配設されたインクジェット式プリンタ１００に適用する場合を説明したが、主走査方向に少なくとも２つ以上の記録ヘッドが配設されたインクジェット式プリンタであれば同様に適用することができる。また、位置センサとして光学センサを配設したが、磁気センサ等であっても良い。
【００４２】
以上、本発明を種々の実施形態に関して述べたが、本発明は以上の実施形態に限られるものではなく、特許請求の範囲に記載された発明の範囲内で、他の実施形態についても適用されるのは勿論である。例えば、上述した実施形態では、記録装置としてインクジェット式プリンタを例に説明したが、これに限定されるものではなく、記録ヘッドを搭載したキャリッジを備えた記録装置であれば、例えばファクシミリ装置、コピー装置等であっても適用可能である。さらに、キャリッジを備えた装置であれば記録装置に限定されるものではなく、記録装置以外の装置にも適用可能である。
【産業上の利用可能性】
【００４３】
記録ヘッドを搭載したキャリッジを備えた記録装置であれば、例えばファクシミリ装置、コピー装置等であっても適用可能である。さらに、キャリッジを備えた装置であれば記録装置に限定されるものではなく、記録装置以外の装置にも適用可能である。
【図面の簡単な説明】
【００４４】
【図１】本発明の実施の形態に係る記録装置の１つであるインクジェット式プリンタの構成例を示す斜視図である。
【図２】図１のプリンタの主要部の内部構成例を示す斜視図である。
【図３】図１のプリンタの主要部の断面図である。
【図４】キャリッジにおける記録ヘッドと位置センサの関係を示す図である。
【図５】図１のプリンタの給紙部の詳細を示す斜視図である。
【図６】図１のプリンタの使用手順を示す第１の図である。
【図７】図１のプリンタの使用手順を示す第２の図である。
【図８】図１のプリンタの使用手順を示す第３の図である。
【図９】図１のプリンタの使用手順を示す第４の図である。
【図１０】図１のプリンタの使用手順を示す第５の図である。
【図１１】図１のプリンタの使用手順を示す第６の図である。
【符号の説明】
【００４５】
１０  インクカートリッジ、１００  インクジェット式プリンタ、１１０  本体部、１１１  ハウジング、１１２  上蓋、１１３  前蓋、１２０  記録部、１２１、１２１ａａ、１２１ａｂ、１２１ｂａ、１２１ｂｂ  記録ヘッド、１２２  キャリッジ、１２３  ＦＦＣ、１２４  インクチューブ、１２７  レール、１２８  キャリッジベルト、１２９  リニアエンコーダ１２９、１２９Ａ  リニアエンコーダスケール、１２９ａ、１２９ｂ  位置センサ、１３０  媒体搬送装置、１３１  紙送りローラ、１３２  従動ローラ、１３３  排紙ローラ、１３４  従動ローラ、１４０  脚部、１４１  コロ、１４２  支持柱、１５０  給紙部、１５１  支持部、１５２  送り出しローラ、１５３  ピンチローラ、１５４  アーム部、１５５  スピンドル、１５６  ロール紙押さえ、１５７  給紙案内、１６０  インクカートリッジホルダ、１６１  ホルダ本体、１６２  カバー、１７０  操作パネル、１８０  制御部
【図１】
2005074875.tif 000003
【図２】
2005074875.tif 000004
【図３】
2005074875.tif 000005
【図４】
2005074875.tif 000006
【図５】
2005074875.tif 000007
【図６】
2005074875.tif 000008
【図７】
2005074875.tif 000009
【図８】
2005074875.tif 000010
【図９】
2005074875.tif 000011
【図１０】
2005074875.tif 000012
【図１１】
2005074875.tif 000013